(57)【要約】【課題】少ない光源を用いて照度の高いランプを構成できるようにする。【解決手段】一側方が開口するハウジング２と、該ハウジング２の開口を覆蓋するレンズ３と、前記ハウジング２とレンズ３とのあいだに内装される燈体ユニット４とを備えてなるランプ１において、前記燈体ユニット４を、長尺円柱状の導光体５と、該導光体５の長尺方向に沿って外径側に延出し、導光体５をハウジング２に支持する第一、第二支持片７ａ、７ｂとにより構成し、前記第一、第二支持片７ａ、７ｂを不透明樹脂材で形成して光遮断手段を備える構成とする。【選択図】図１
2008171747.tif 000002
【特許請求の範囲】
【請求項１】
一側方が開口するハウジングと、該ハウジングの開口を覆蓋するカバー体と、前記ハウジングとカバー体とのあいだに内装される燈体ユニットとを備えてなるランプであって、前記燈体ユニットは、長尺円柱状の導光体と、該導光体の長尺方向に沿って外径側に延出し、導光体をハウジングに支持する支持片とを備えて構成され、前記支持片には光遮断手段が設けられているランプ。
【請求項２】
光遮断手段は、支持片を不透明樹脂材で成形することにより構成されている請求項１に記載のランプ。
【請求項３】
支持片は、導光体の直径方向両側から延出する一対のもので構成されている請求項１または２に記載のランプ。
【請求項４】
燈体ユニットは、支持片を基準とする導光体の半部を覆い、光遮断手段が設けられた覆い片を備えて構成されている請求項１乃至３の何れか１項に記載のランプ。
【請求項５】
導光体は、乱反射発生手段が設けられている請求項１乃至４の何れか１項に記載のランプ。
【請求項６】
導光体は、Ｕ字形に折曲形成されている請求項１乃至５の何れか１項に記載のランプ。
【発明の詳細な説明】
【技術分野】
【０００１】
本発明は、照明用、あるいは、乗用車、トラック等の車両に搭載される等のランプの技術分野に属するものである。
【背景技術】
【０００２】
一般に、この種ランプのなかには、光源として発光ダイオード（ＬＥＤ）を用いることにより、耐久性に優れ、かつ、ランニングコストを低下させるようにしたランプが知られている。
【０００３】
ところで、発光ダイオードは指向性が強く、このため、例えばドアミラーに組み込まれたターンランプに発光ダイオードを用いた場合では、ドアミラーの車体取り付け状態において、左右方向外方部位のみ点灯するような構成とすることが提唱されている。
【特許文献１】特開２０００−１０３２７８
【発明の開示】
【発明が解決しようとする課題】
【０００４】
ところが、前記従来のものは、局所的な範囲に対して照射するだけの構成であり、このような構成のものを、広範なスペースを照射するための、例えば照明具として用いるには多数の発光ダイオードが必要となり、そこで、発光ダイオードを用いて汎用性の高い照明ができるようにすることに、本発明の解決すべき課題がある。
【課題を解決するための手段】
【０００５】
本発明は、上記の如き実情に鑑みこれらの課題を解決することを目的として創作されたものであって、請求項１の発明は、一側方が開口するハウジングと、該ハウジングの開口を覆蓋するカバー体と、前記ハウジングとカバー体とのあいだに内装される燈体ユニットとを備えてなるランプであって、前記燈体ユニットは、長尺円柱状の導光体と、該導光体の長尺方向に沿って外径側に延出し、導光体をハウジングに支持する支持片とを備えて構成され、前記支持片には光遮断手段が設けられているランプである。
請求項２の発明は、光遮断手段は、支持片を不透明樹脂材で成形することにより構成されている請求項１に記載のランプである。
請求項３の発明は、支持片は、導光体の直径方向両側から延出する一対のもので構成されている請求項１または２に記載のランプである。
請求項４の発明は、燈体ユニットは、支持片を基準とする導光体の半部を覆い、光遮断手段が設けられた覆い片を備えて構成されている請求項１乃至３の何れか１項に記載のランプである。
請求項５の発明は、導光体は、乱反射発生手段が設けられている請求項１乃至４の何れか１項に記載のランプである。
請求項６の発明は、導光体は、Ｕ字形に折曲形成されている請求項１乃至５の何れか１項に記載のランプである。
【発明の効果】
【０００６】
請求項１の発明とすることにより、少ない数の発光ダイオードをもいて構成されたものでありながら、広範に光を放射できて、高い汎用性を期待できる。
請求項２の発明とすることにより、ランプの照度をさらに向上させることができる。
請求項３の発明とすることにより、意匠性のよいランプとすることができる。
請求項４の発明とすることにより、導光体からの光の放射を効率よく行うことができて、さらなる照度向上が図れる。
請求項５の発明とすることにより、一層の照度向上を図ることができる。
請求項６の発明とす７ることにより、汎用性のさらなる向上を図ることができる。
【発明を実施するための最良の形態】
【０００７】
つぎに、本発明の実施の形態について、図面に基づいて説明する。
図面において、１は、例えば車両のハイマウントブレーキランプとして用いることができるランプであって、該ランプ１は、図１において上方が開口するボックス形状に形成されたハウジング２と、該ハウジング２の開口を覆蓋する状態でハウジング２に一体的に設けられるレンズ３とを備えて構成されており、ハウジング２とレンズ３とのあいだに形成される空間に、本発明が実施された燈体ユニット４が設けられている。
【０００８】
前記燈体ユニット４は、透明樹脂材で成形された導光体５を備えて構成されており、該導光体５は長尺円柱状体を折り返すことによりＵ字形状に形成され、長尺方向における一半部５ａと他半部５ｂとが連通した形状となっており、後述するように、各一半部５ａ、他半部５ｂの連通されない各端部５ｃ、５ｄに対向して設けた光源６を点灯することにより、導光体５に入光して長尺状の光を外部に照射するように設定されている。
さらに燈体ユニット４には、導光体５の長尺方向に沿って外径側に延出する支持片７の基端部が一体化されるように設定されるが、該支持片７は、不透明樹脂材で成形することにより光遮断手段を備えて構成され、これによって、導光体５に入光された光が支持片７側に漏れるのを遮断（規制）するように構成されている。そして、本実施の形態では、支持片７は、導光体５の直径方向両側から一対の第一、第二支持片７ａ、７ｂがそれぞれ延出形成されており、第一支持片７ａは導光体５の一半部５ａ、他半部５ｂ同士の内側に位置し、第二支持片７ｂは導光体端部５ａ、５ｂ同士の外側に位置して形成されている。そして、導光体一半部５ａの第一支持片７ａと他半部５ｂの第一支持片７ａとの間は、幅狭なスリット７ｃに形成され、第二支持片７ｂはハウジング２の外形状に対応して矩形状の外形状となっている。
【０００９】
さらに、本実施の形態の燈体ユニット４には、第一、第二支持片７ａ、７ｂを基準とする導光体５の径方向における下側半部を覆うための覆い片８が形成されている。前記覆い片８は、支持片７と同様に不透明樹脂材（必ずしも同じ樹脂材である必要はない）により成形成形することにより光遮断手段を備えるように設定されており、これによって、燈体ユニット４は、導光体５の覆い片８により覆われない側である上側半部側から集中して光を放射するように設定されている。そして、前記覆い片８は、導光体５の外径に相当する内径を有した長尺筒体の半割り形状のものをＵ字形に折り返した形状に形成されており、該覆い片８の長尺方向一方の端縁部８ａは第一支持片７ａの導光体５に一体化されている基端部の下面に一体化され、覆い片８の他方の端縁部８ｂは第二支持片７ｂの導光体５に一体化されている基端部の下面に一体化されるように設定されている。
【００１０】
また、第一、第二支持片７ｂは、導光体５の互いに対向する両端部５ｃ、５ｂ部位において一体化された延長片７ｄが一体形成されている。前記延長片７ｄには、導光体両端部５ｃ、５ｄに対向して光源支持孔７ｅ、７ｆがそれぞれ開設され、これら光源支持孔７ｅ、７ｆに、発光ダイオードにより構成されるそれぞれ単体の光源６が設けられている。そして、各光源６が点灯されることにより、導光体５の一半部５ａ、他半部５ｂとにおいて、覆い片８により覆われない上側半部から光を放射するように設定されている。
ここで、導光体５の両端部５ｃ、５ｄにおける端面５ｅ、５ｆは乱反射発生手段として球面形状に形成され、該端面５ｆ、５ｇに対して光源６が対向するように構成されている。これによって、光源６からの光の導光体５への入射角が単一化されず、多種多様となるように設定されている。
さらに、導光体５の覆い片８により覆われる下側半部の外周面には乱反射発生手段として表面に凹凸が形成された非平滑面５ｇに形成されており、これによって、導光体５に入光された光を乱反射した状態で上側半部から外方に放射するように設定されている。
【００１１】
尚、本実施の形態の燈体ユニット４は、型移動を伴う射出成形により形成することができ、一次射出により導光体５と覆い片８とをそれぞれ成形し、その後、型移動して、導光体５と覆い片８とを対向せしめ、二次射出により第一、第二支持片７ａ、７ｂを、導光体５と覆い片８とに一体化させる状態で成形することで燈体ユニット４が形成されている。
【００１２】
そして、燈体ユニット４は、ハウジング２の底片２ａから上方に向けて突出形成された複数の支持脚片２ｂの上端に、第二支持片７ｂを載置、固定することによりハウジング２に組み込まれ、ハウジング底片２ａと第一、第二支持片７ａ、７ｂとのあいだに基板や配線（図示せず）等の部材を収容し、この状態において、ハウジング２の開口をレンズ３により覆蓋することによりランプ１が形成されるように設定されている。これによって、ランプ１は、レンズ３側から目視したとき、基板、配線等が第一、第二支持片７ａ、７ｂにより覆われていて意匠性の向上が図られている。
【００１３】
叙述の如く構成された本形態において、ランプ１は、発光ダイオードによる光源６を用いた燈体ユニット４により構成されているが、燈体ユニット４は、光源６から入光した光が導光体５を介して長尺状の光を放射することになって、発光ダイオードで構成される少ない数の光源６を用いてランプ１を構成するものでありながら、局所的な光の放射にならないようにすることができ、一般的な照明としての汎用性を期待できる。
【００１４】
さらに、本発明が実施されたものにあっては、支持片７としての第一、第二支持片７ａ、７ｂを不透明樹脂材で形成したので、導光体５の光が第一、第二支持片７ａ、７ｂ側に漏れ出すことがなく、ランプ１の照度の向上を図ることができる。
【００１５】
また、このものでは、支持片７としての第一、第二支持片７ａ、７ｂが導光体５の直径方向両側に形成されているので、ハウジング２の底片２ａ側に収容された部材を第一、第二支持片７ａ、７ｂにより覆うことができて、意匠性のよいランプ１にすることができる。
【００１６】
しかも、このものでは、導光体５の光を放射する側とは反対の下側の半部に光遮断手段を備えた覆い片８を設けているので、導光体５の光が覆い片８配設側に漏れてしまうことがなく、効率よく導光体５から放射することができて一層の照度向上を図ることができる。
【００１７】
さらに、このものでは、導光体５の端面５ｅ、５ｆが球面形状になっているので、光源６からの光の入射角度を変化させることができるうえ、導光体５の覆い片８に対向する下側の半部を非平滑面５ｇになっているので、導光体５に多種多様な入射角度で入光された光が、さらに乱反射した状態で放射することになって、指向性のある発光ダイオードによる光源６を広範に放射することができて、照度向上を図れる。
【００１８】
また、このものでは、導光体５をＵ字形として長尺方向一半部５ａと他半部５ｂとにより光を放射するので、照度を高めながら、しかも、光を集中させることができて汎用性の一層の向上を図れる。
【００１９】
尚、本発明は前記実施の形態に限定されないことは勿論であって、図４に示す第二の実施の形態のようにすることもできる。
第二の実施の形態の燈体ユニット９は、透明樹脂材で成形された導光体１０と、該導光体１０の直径方向両側から外径方向に延出する一対の第一、第二支持片１１ａ、１１ｂと、覆い片１２とを備えて構成されることは前記第一の実施の形態と同様であるが、本実施の形態では、第一、第二支持片１１ａ、１１ｂと覆い片１２とが不透明樹脂材により一体に成形されている。さらに、このものでは、覆い片１２部位、あるいは、導光体１０の覆い片１２対向部位に乱反射発生手段としての反射膜１３が設けられている。尚、第二の実施の形態は、前記以外の構成は第一の実施の形態と同様であり、このように構成することにより、指向性のある発光ダイオードを光源とし、少ない数の光源を用いる構成としたものでありながら、広範にわたり高い照度を確保することができて、汎用性の向上を図ることができる。
【００２０】
また、乱反射発生手段としては、前記第一、第二の実施の形態の他に、導光体の端部に対して光源を傾斜状に照射すること、導光体の光を放射する側とは反対の面（前記下側半部の外周面）をしぼ加工すること、曇りガラス状にすること等の手段を例示することができる。
【図面の簡単な説明】
【００２１】
【図１】図１（Ａ）、（Ｂ）はそれぞれランプの断面図、燈体ユニットの平面図である。
【図２】光源を外した燈体ユニットの斜視図である。
【図３】燈体ユニットの一部断面図である。
【図４】第二の実施の形態における燈体ユニットの一部断面図である。
【符号の説明】
【００２２】
１    ランプ
２    ハウジング
３    レンズ
４    燈体ユニット
５    導光体
５ａ    一半部
５ｅ    端面
５ｇ    非平滑面
６    光源
７    支持片
７ａ    第一支持片
８    覆い片
【図１】
2008171747.tif 000003
【図２】
2008171747.tif 000004
【図３】
2008171747.tif 000005
【図４】
2008171747.tif 000006